(57)【要約】【課題】周りの対象物に光を照射して明るくすることができる誘導灯を提供することを課題とする。【解決手段】誘導灯１００は、誘導標識１を所定の輝度で光らせる発光モジュール４１と、誘導灯１００の周りの対象物に向けて所定の光量の照明光を出射する照明モジュール４２と、を有する。照明モジュール４２は、誘導標識１に正対する方向と異なる方向に光を出射する。【選択図】      図２
2020053136.tif 000002
【特許請求の範囲】
【請求項１】
誘導標識と；
前記誘導標識を所定の輝度で光らせる第１の光源と；
前記誘導標識の周りの対象物に向けて所定の光量の照明光を出射する第２の光源と；を有し、
前記第２の光源は、前記誘導標識に正対する方向と異なる方向に光を出射することを特徴とする誘導灯。
【請求項２】
前記第２の光源は、前記対象物である床面が所定の面照度となる光量で前記照明光を出射することを特徴とする、
請求項１の誘導灯。
【請求項３】
前記第２の光源から出射された光のうち前記誘導標識に向かう光を遮光する遮光部材をさらに有する、
請求項１または２に記載の誘導灯。
【請求項４】
前記第２の光源を所定の時間点灯後に、前記第２の光源を点滅させるとともに、前記第２の光源から出射する光の光量を制御する制御部をさらに有する、
請求項１ないし３のいずれか１項に記載の誘導灯。
【発明の詳細な説明】
【技術分野】
【０００１】
本発明の実施形態は、例えば、建物の非常口近くに設置される誘導灯に関する。
【背景技術】
【０００２】
一般に、誘導灯は、人が逃げる形の誘導標識を有し、非常口の近くに設置される。誘導灯は、誘導標識を光らせることにより、火災や地震などの非常時に、人々を避難誘導するため、遠くから非常口の位置が分かるようにしている。また、誘導灯は、非常時に点滅させることで、非常口の位置をより分かり易く知らせるための点滅ランプを備えている場合もある。
【先行技術文献】
【特許文献】
【０００３】
【特許文献１】特開２０１４−８５９３５号公報
【発明の概要】
【発明が解決しようとする課題】
【０００４】
例えば、地震などの災害時に、非常口が塞がれている（人が出入りできない）場合、誘導灯により非常口の場所を知らせても、非常口から逃げることはできない。昼間であれば、非常口が塞がれていることを遠くから目視判断できる場合もあるが、夜間など暗い場合には、非常口が塞がれていることを遠くから判断することは難しい。この場合、誘導灯に導かれて通行不可能な非常口まで移動してしまい、避難に要する時間を余分に費やしてしてしまうことが考えられる。
【０００５】
また、災害時には、足元に物が散乱している状況が考えられるため、避難経路を照らすための非常灯が必要となる。しかし、非常灯の明かりが届かない場所もあり、避難誘導の観点から、少なくとも非常口の近くを明るくすることが望ましい。
【０００６】
よって、周りの対象物に光を照射して明るくすることができる誘導灯の開発が望まれている。
【課題を解決するための手段】
【０００７】
実施形態に係る誘導灯は、誘導標識と、誘導標識を所定の輝度で光らせる第１の光源と、誘導標識の周りの対象物に向けて所定の光量の照明光を出射する第２の光源と、を有する。第２の光源は、誘導標識に正対する方向と異なる方向に光を出射する。
【発明の効果】
【０００８】
実施形態の誘導灯によると、周りの対象物に光を照射して明るくすることができる。
【図面の簡単な説明】
【０００９】
【図１】図１は、第１の実施形態に係る誘導灯を示す斜視図である。
【図２】図２は、図１の誘導灯の分解斜視図である。
【図３】図３は、図１の誘導灯の正面図（ａ）、側面図（ｂ）、および底面図（ｃ）である。
【図４】図４は、図１の誘導灯の動作を制御する制御系のブロック図である。
【図５】図５は、図１の誘導灯の第１の変形例を示す正面概略図である。
【図６】図６は、図１の誘導灯の第２の変形例を示す正面概略図である。
【図７】図７は、図１の誘導灯の第３の変形例を示す側面概略図である。
【図８】図８は、図１の誘導灯の第４の変形例を示す側面概略図である。
【発明を実施するための形態】
【００１０】
以下、図面を参照しながら実施形態について詳細に説明する。  
実施形態の誘導灯１００は、誘導標識１を所定の輝度で光らせる発光モジュール４１と、誘導灯１００の周りの対象物に向けて所定の光量の照明光を出射する照明モジュール４２と、を有する。照明モジュール４２は、誘導標識１に正対する方向と異なる方向に光を出射する。以下の説明では、誘導灯１００の誘導標識１に正対する側を正面側とし、その反対を背面側とする。また、誘導標識１に正対して上下左右方向を規定する。
【００１１】
（第１の実施形態）
図１に示すように、第１の実施形態に係る誘導灯１００は、扁平な矩形箱状の外形を有し、建物の天井や壁に取り付けて使用される。本実施形態の誘導灯１００は、誘導標識１を光らせる通常の機能に加えて、誘導灯１００の下方に向けて照明光を出射する照明機能を有する。誘導灯１００は、この他に、キセノンランプ等を点滅させる機能や、音声により避難誘導をする機能などを有してもよい。本実施形態の誘導灯１００は、例えば、図示しない非常口の近くの天井１０１に直に固定されて取り付けられる。
【００１２】
本実施形態の誘導灯１００は、建物の壁に取り付けることもでき、図示しないパイプを介して天井から吊り下げて取り付けることもできる。誘導灯１００の背面を壁に接触させて取り付ける場合には、誘導灯１００の正面にのみ誘導標識１を有する片面発光タイプの誘導灯１００を用いる。誘導灯１００を天井に直付け或いは吊り下げ固定する場合には、誘導灯１００の背面側にも誘導標識１を有する両面発光タイプの誘導灯１００を用いることができる。本実施形態の誘導灯１００は、正面側にのみ誘導標識１を有する片面発光タイプの誘導灯である。
【００１３】
図２に示すように、誘導灯１００は、筐体１０と、表示パネル２０と、化粧枠３０と、を有する。  
筐体１０は、背面側の矩形の底壁１１と、底壁１１の図示上端辺に連続した矩形の上壁１２と、底壁１１の図示下端辺に連続した矩形の下壁１３と、矩形の左右２つの側壁１４、１５と、を有する。上壁１２、下壁１３、および側壁１４、１５は、底壁１１の各辺から正面側に底壁１１と垂直な方向に延出している。つまり、筐体１０は、正面側が開放した矩形箱状に形成されている。筐体１０は、板金により形成されてもよく、樹脂により形成されてもよい。
【００１４】
筐体１０内には、後述する複数の電子部品を取り付けたシャーシ１６が収容配置されている。シャーシ１６は、筐体１０の底壁１１と平行に配置され、筐体１０に固定される。シャーシ１６は、例えば、１枚の金属板により形成される。シャーシ１６は、電子部品を固定するための図示しないネジなどを挿通するための複数の図示しないネジ孔や切欠きを有する。
【００１５】
表示パネル２０は、例えば、アクリルなどの可視光を透過可能（透明）な樹脂により形成されている。表示パネル２０は、矩形の表示部２１を有し、表示部２１には人が逃げる形の誘導標識１が描かれている。表示パネル２０は、少なくとも表示部２１が光を透過する材料により形成されている。表示パネル２０は、表示部２１の図示右辺から筐体１０に向けて背面側に直角に延出した矩形のリブ板２２、および表示部２１の図示左辺から筐体１０に向けて背面側に直角に延出した矩形のリブ板２３を有する。
【００１６】
表示パネル２０の内側には、図示しない導光板が配置される。この導光板は、後述する発光モジュール４１から出射された光を導光して表示パネル２０を背面側から照らす。これにより、表示パネル２０を透過した光が正面側に出射され、誘導灯１００の正面側にいる人から誘導標識１が光って見える。
【００１７】
化粧枠３０は、矩形枠状に形成されている。化粧枠３０は、表示パネル２０の表示部２１を前面側に露出する矩形の開口３１を有する。化粧枠３０は、表示パネル２０を間に挟んで筐体１０の正面側に取り付けられる。つまり、化粧枠３０は、表示パネル２０と協働して、筐体１０の正面側の開口を塞ぐ。
【００１８】
図２および図３に示すように、筐体１０内に収容配置されたシャーシ１６には、発光モジュール４１、照明モジュール４２、発光モジュール４１用の電源ユニット４３、照明モジュール４２用の電源ユニット４４、発光モジュール４１用のバッテリー４５、照明モジュール４２用の２つのバッテリー４６ａ、４６ｂ、電源用端子台４７、および信号用端子台４８などの複数の電子部品が取り付けられている。
【００１９】
発光モジュール４１は、筐体１０内の上方に配置されている。発光モジュール４１は、図示しない複数のＬＥＤ（light emitting diode）素子を表面に実装した図示しない基板を有する。発光モジュール４１の複数のＬＥＤ素子は第１の光源として機能する。発光モジュール４１の基板は、複数のＬＥＤ素子から出射する光の出射方向が下方に向く姿勢でシャーシ１６に固定されている。発光モジュール４１の基板は、電源ユニット４３に接続されている。電源ユニット４３を介して発光モジュール４１に給電されると、複数のＬＥＤ素子から光が出射される。複数のＬＥＤ素子から出射された光は、図示しない導光板を介して表示パネル２０の背面側から表示部２１に照射される。
【００２０】
電源ユニット４３は、電源用端子台４７を介して商用電源などの外部電源６１（図４）に接続されている。電源ユニット４３は、複数のＬＥＤ素子を点灯制御するための点灯回路６３（図４）を有し、複数のＬＥＤ素子に給電して発光させる。また、電源ユニット４３は、バッテリー４５を充電する。さらに、電源ユニット４３は、停電などにより外部電源６１からの給電が遮断された場合に、バッテリー４５に切り替えて、発光モジュール４１の複数のＬＥＤ素子を点灯させる。
【００２１】
発光モジュール４１の光源は、ＬＥＤ素子に限らず、他の発光素子を用いることもできる。表示パネル２０は、表示部２１に描かれた誘導標識１を遠くから見て判別することができる程度の明るさで点灯する必要がある。このため、発光モジュール４１の光源は、表示パネル２０の表示部２１の輝度が所定の輝度となる光源であることが好ましい。また、発光モジュール４１の光源が本実施形態のようにＬＥＤ素子である場合、点灯回路６３を介してＬＥＤ素子に給電する電力を調整して、表示部２１の輝度を所定の輝度に制御することが好ましい。
【００２２】
照明モジュール４２は、筐体１０の下壁１３の内側に配置されている。照明モジュール４２は、遮光部材として機能するケース４２ａを有する。ケース４２ａ内には、図示しない複数のＬＥＤ素子を実装した図示しない基板が取り付けられている。照明モジュール４２の複数のＬＥＤ素子は第２の光源として機能する。照明モジュール４２の複数のＬＥＤ素子から出射された照明光は、ケース４２ａによって遮光され、発光モジュール４１の複数のＬＥＤ素子から出射される光に干渉することがない。つまり、照明モジュール４２から出射された光のうち表示パネル２０の表示部２１に向かう光がケース４２ａによって遮光される。
【００２３】
また、照明モジュール４２は、複数のＬＥＤ素子の下方に対向して配置される照明カバー４９を有する。照明カバー４９は、例えば透明な樹脂により形成されており、ドーム状に膨出した形状を有する。照明モジュール４２の基板は、複数のＬＥＤ素子から出射する光の出射方向が下方に向く姿勢でシャーシ１６に固定されている。筐体１０の下壁１３の複数のＬＥＤ素子に対向する位置には、照明カバー４９を取り付けるための矩形の取付孔１３ａが設けられている。取付孔１３ａは、下壁１３を貫通して設けられている。照明カバー４９は、ドーム状に膨出した部分が取付孔１３ａから筐体１０の外に下方に突出するように取り付けられている。
【００２４】
照明モジュール４２の基板は、電源ユニット４４に接続されている。電源ユニット４４を介して照明モジュール４２に給電されると、複数のＬＥＤ素子から光が出射される。複数のＬＥＤ素子から出射された光は、照明カバー４９を介して誘導灯１００の下方の対象物に照射される。このように、照明モジュール４２による照明光は、誘導灯１００の誘導標識１に正対する方向とは異なる方向（本実施形態では下方）に出射されるため、誘導標識１が見え難くなることがない。
【００２５】
電源ユニット４４は、電源用端子台４７を介して商用電源などの外部電源６１（図４）に接続されている。電源ユニット４４は、照明モジュール４２の複数のＬＥＤ素子を点灯制御するための点灯回路６４（図４）を有し、複数のＬＥＤ素子に給電して発光させる。また、電源ユニット４４は、バッテリー４６ａ、４６ｂを充電する。さらに、電源ユニット４４は、停電などにより外部電源６１からの給電が遮断された場合に、バッテリー４６ａ、４６ｂに切り替えて、照明モジュール４２の複数のＬＥＤ素子を点灯させる。
【００２６】
照明モジュール４２の光源は、ＬＥＤ素子に限らず、他の発光素子を用いることもできる。照明モジュール４２の照明カバー４９を介して下方に出射される照明光は、誘導灯１００を設置した非常口の近くの床や壁を照明する。床や壁に照射された照明光は、床や壁で反射されて、二次的な照明光として出射される。これにより、非常口の近くが明るくなり、例えば、非常口を介して人が通行可能か否かを遠くから見て判断することができるようになる。このため、照明モジュール４２の光源は、照明カバー４９を介して下方に出射される照明光の光量が床面を所定の面照度とすることができる光源であることが好ましい。照明モジュール４２から出射される照明光の光量は、点灯回路６４を介してＬＥＤ素子に給電する電力を調整して、所定値に制御することができる。
【００２７】
また、図１および図３に示すように、筐体１０の下壁１３には、上述した照明カバー４９の他に、照明モジュール４２の動作確認のための動作確認スイッチ５１、および発光モジュール４１の点検のための操作・表示部５２が設けられている。操作・表示部５２には、点検を開始するための点検スイッチ５３、バッテリー４５の充電状態を示す充電モニタ５４、複数のＬＥＤ素子の通電状態を示すランプモニタ５５、点検が中断されたときに点灯する点検モニタ５６、および図示しないリモコンからの操作信号を受信するリモコン受信部５７が設けられている。
【００２８】
図４に示すように、誘導灯１００の動作を制御する制御部６０には、停電などにより外部電源６１からの給電が遮断されたことを検出する検出回路６２が接続されている。また、制御部６０には、発光モジュール４１を点灯させる点灯回路６３を有する電源ユニット４３、および照明モジュール４２を点灯させる点灯回路６４を有する電源ユニット４４が接続されている。
【００２９】
ここで、誘導灯１００の制御部６０による処理動作の一例について説明する。  
地震や火災などが発生していない正常時には、制御部６０は、誘導標識１を光らせる発光モジュール４１の電源ユニット４３を制御して、外部電源６１から給電される電力により、発光モジュール４１の複数のＬＥＤ素子を点灯させる。このとき、点灯回路６３は、予め決められた所定の光量の光を照射するように複数のＬＥＤ素子を点灯させる。ここで言う所定の光量とは、表示パネル２０の表示部２１に描かれた誘導標識１が遠くから十分に認識できる輝度を得ることができる光量である。
【００３０】
発光モジュール４１の複数のＬＥＤ素子が点灯すると、複数のＬＥＤ素子から出射された光が図示しない導光板を介して表示パネル２０に背面側から照射される。表示パネル２０に光が照射されると、表示部２１に正対する方向に光が透過し、誘導標識１が光って見えるようになる。
【００３１】
一方、地震や火災などが発生した場合、制御部６０は、信号用端子台４８を介して地震警報や火災警報に関する信号を信号発生源７０から受信する。そして、制御部６０は、検出回路６２を介して誘導灯１００に対する給電が遮断されたか否かを検出する。この際、停電などにより給電が遮断されたことを検出すると、制御部６０は、発光モジュール４１の電源ユニット４３を制御して発光モジュール４１の電源をバッテリー４５に切り替える。これにより、誘導標識１を継続して光らせることができる。
【００３２】
また、停電により給電が遮断された場合、制御部６０は、照明モジュール４２の電源ユニット４４を制御して、照明モジュール４２の複数のＬＥＤ素子を点灯させる。このとき、照明モジュール４２の電力はバッテリー４６ａ、４６ｂから供給される。照明モジュール４２の複数のＬＥＤ素子が点灯すると、複数のＬＥＤ素子から出射された光が照明カバー４９を介して誘導灯１００の筐体１０の下方に照射される。このように、誘導灯１００の下方に照射された照明光は、床や壁、あるいは床に設置したテーブルなどの対象物を照らす。これにより、誘導灯１００の周りの空間が明るくなり、誘導灯１００を設置した非常口の周囲の状況を遠くから見易くすることができる。
【００３３】
以上のように、本実施形態の誘導灯１００は、誘導標識１を光らせる発光モジュール４１とは別に、照明光を出射するための照明モジュール４２を備えている。このため、停電などにより誘導灯１００に対する給電が遮断された場合に、誘導灯１００の周りを明るく照らすことができる。本実施形態の誘導灯１００を非常口の近くに設置すると、遠くから非常口の様子を目視判断することができ、避難に要する時間を無駄にすることを防止することができる。また、本実施形態によると、非常口の近くを明るくすることができるため、避難をより安全にすることができる。
【００３４】
なお、上述した実施形態では、誘導灯１００に対する給電が遮断された場合に、制御部６０は、照明モジュール４２を制御して単に照明光を出射するようにしたが、点灯回路６４により複数のＬＥＤ素子を点滅させるようにしてもよい。この場合、従来のキセノンランプを利用したフラッシュ点滅に似た光らせ方をすることができ、誘導灯１００の場所をより分かり易くすることができる。
【００３５】
また、照明モジュール４２の複数のＬＥＤ素子を点灯或いは点滅させる場合、点灯回路６４によりＬＥＤ素子から出射する光の光量を調整するようにしてもよい。例えば、照明モジュール４２のＬＤＥ素子を点灯させて照明光を出射する場合と比較して、ＬＥＤ素子を点滅させる場合には光量を多くするように出射光量を調整してもよい。例えば、照明モジュール４２の複数のＬＥＤ素子を所定の時間点灯させた後に、照明モジュール４２の複数のＬＥＤ素子を点滅させるとともに、照明モジュール４２の複数のＬＥＤ素子から出射する光の光量を制御するようにしてもよい。
【００３６】
また、上述した実施形態では、照明モジュール４２の全てのＬＥＤ素子を同じ向きにして基板に実装した場合について説明したが、例えば、照明光を出射するＬＥＤ素子を上述したように下向きにして点灯回路により点灯させ、いくつかのＬＥＤ素子を光の出射方向が正面側となる向きで基板に取り付けて点灯回路６４により点滅させるようにしてもよい。この場合、誘導標識１に正対する方向に点滅する光を出射することができ、照明光を出射することができることに加え、誘導灯１００の位置をより分かり易くすることができる。
【００３７】
また、本実施形態では、照明モジュール４２の複数のＬＥＤ素子から出射した光を照明カバー４９を介して下方に照射する例について説明したが、例えば、レンズなどを用いて各ＬＥＤ素子から出射された光の照射方向を所望する方向に変更してもよい。なお、この場合、照明モジュール４２から出射する照明光は、誘導標識１に正対する正面方向と異なる方向にすることが望ましく、誘導標識１の見易さを阻害しないようにすることが望ましい。
【００３８】
また、本実施形態では、照明モジュール４２の複数のＬＥＤ素子を実装した基板をケース４２ａ内に収容配置した場合について説明したが、ケース４２ａは必須の構成ではない。ケース４２ａを用いない場合には、照明モジュール４２の図示しない複数のＬＥＤ素子から出射される光のうち、発光モジュール４１の複数のＬＥＤ素子から出射される光に干渉する光を遮光する遮光部材を設ければよい。遮光部材は、表示パネル２０の表示部２１に向かう照明光を遮光できるものであればいかなるものであってもよい。
【００３９】
さらに、本実施形態では、発光モジュール４１の電源ユニット４３と照明モジュール４２の電源ユニット４４を別体で設けた場合について説明したが、１つの電源ユニットに発光モジュール４１と照明モジュール４２を接続してもよい。
【００４０】
次に、上述した第１の実施形態の誘導灯１００のいくつかの変形例について説明する。
以下に説明する各変形例の誘導灯１１０、１２０、１３０、１４０は、照明モジュール４２の取付位置が異なる以外、上述した第１の実施形態の誘導灯１００と同じ構造を有する。よって、ここでは、誘導灯の図示を簡略化し、第１の実施形態と同様に機能する構成に関する説明を省略する。また、照明モジュール４２の取付位置については、照明カバー４９を図示することで表すことにする。
【００４１】
（第１の変形例）
図５は、第１の変形例に係る誘導灯１１０を示す正面概略図である。この誘導灯１１０は、筐体１０の左側の側壁１５に照明モジュール４２の照明カバー４９を有し、筐体１０の左方に照明光を照射する。つまり、本変形例によると、照明光は、建物の壁を主に照らす。
【００４２】
第１の変形例によると、誘導灯１１０を設置した非常口の近くの壁が明るく光り、壁からの反射光が周りの空間を照らすため、非常口の近くを明るくすることができる。
【００４３】
（第２の変形例）
図６は、第２の変形例に係る誘導灯１２０を示す正面概略図である。この誘導灯１２０は、筐体１０の上壁１２に照明モジュール４２の照明カバー４９を有し、筐体１０の上方に照明光を照射する。つまり、本変形例によると、照明光は、建物の天井を主に照らす。
【００４４】
第２の変形例によると、誘導灯１２０を設置した非常口の近くの天井が明るく光り、天井からの反射光が周りの空間を照らすため、非常口の近くを明るくすることができる。
【００４５】
（第３の変形例）
図７は、第３の変形例に係る誘導灯１３０を示す側面概略図である。この誘導灯１３０は、筐体１０の底壁１１の背面側に照明モジュール４２の照明カバー４９を有し、筐体１０の背面側に照明光を照射する。つまり、本変形例によると、照明光は、誘導灯１３０の背面側の壁を主に照らす。
【００４６】
第３の変形例によると、誘導灯１３０を設置した非常口の近くの壁が明るく光り、壁からの反射光が周りの空間を明るくするため、非常口の近くを明るくすることができる。
【００４７】
（第４の変形例）
図８は、第４の変形例に係る誘導灯１４０を示す側面概略図である。この誘導灯１４０は、筐体１０の正面側に設けた化粧枠３０に照明モジュール４２の照明カバー４９を有し、筐体１０の正面側に照明光を照射する。第４の変形例では、表示パネル２０の表示部２１に描かれた誘導標識１が照明光により見え難くなる不具合を防止するため、誘導標識１に正対する方向に照明光を照射するのではなく、斜め下方に照明光を照射するようにした。つまり、本変形例によると、照明光は、誘導灯１４０の正面側の床を主に照らす。
【００４８】
第４の変形例によると、誘導灯１１０を設置した非常口の近くの床が明るく光り、床からの反射光が周りの空間を明るくするため、非常口の近くを明るくすることができる。
【００４９】
以上述べた実施形態およびその変形例によれば、誘導灯の誘導標識１を光らせる発光モジュール４１の他に、誘導灯の周りの対象物を照らす照明光を出射する照明モジュール４２を有する。このため、誘導灯の周りを明るくすることができ、安全な避難経路を確実に判断することができ、有効な避難誘導を実施することができる。
【００５０】
本発明の実施形態および変形例について説明したが、これらの実施形態または変形例は、例として提示したものであり、発明の範囲を限定することは意図していない。これら実施形態または変形例は、その他の様々な形態で実施されることが可能であり、発明の要旨を逸脱しない範囲で、種々の省略、置き換え、変更を行うことができる。これら実施形態または変形例は、発明の範囲や要旨に含まれるとともに、特許請求の範囲に記載された発明とその均等の範囲に含まれる。
【符号の説明】
【００５１】
１…シンボルマーク、１０…筐体、１１…底壁、１２…上壁、１３…下壁、１４、１５…側壁、２０…表示パネル、２１…表示部、３０…化粧枠、４１…発光モジュール、４２…照明モジュール、４２ａ…ケース、４３、４４…電源ユニット、４５、４６ａ、４６ｂ…バッテリー、４７…電源用端子台、４８…信号用端子台、４９…照明カバー、６０…制御部、６１…外部電源、６２…検出回路、６３、６４…点灯回路、７０…信号発生源、１００…誘導灯、１０１…天井、１０２…壁。
【図１】
2020053136.tif 000003
【図２】
2020053136.tif 000004
【図３】
2020053136.tif 000005
【図４】
2020053136.tif 000006
【図５】
2020053136.tif 000007
【図６】
2020053136.tif 000008
【図７】
2020053136.tif 000009
【図８】
2020053136.tif 000010